(57)【要約】      （修正有）【課題】写真撮影、録音、録画、走査、投射機能を備える文書処理装置を提供する。【解決手段】左台体１１と右台体１２により組成するベース１０、左、右台体１１、１２上に挿入して設置するスタンドフレーム２０、スタンドフレーム２０頂点部に可動状態で接続する横フレーム３０、横フレーム３０上に可動状態で設置する本体４０を備え、本体４０には光学レンズ４１を設置し、マイク４２、ライトを設置する。これにより文書データをベース１０上に置き、本体４０の光学レンズ４１を利用して撮影し、文書データを識別ソフトにより、Ｗｏｒｄ（登録商標）、Ｅｘｃｅｌ（登録商標）、ＰＤＦなどの編集ファイルに転換することができ、また本体４０は、特定の動作過程を録音、録画することができ、さらに本体４０はメモリカードを挿入して設置し、或いはコンピューターを外付けして、映像、画像の投射を行なうことができる。【選択図】図１
0003152440.tif 000002
【実用新案登録請求の範囲】
【請求項１】
ベース、スタンドフレーム、横フレーム、本体を備え、
前記ベースは、左台体と右台体の片側が接続し、折畳み可能な形態を呈し、前記左、右台体の、相互に接触する端の反対端には、それぞれ長槽空間を設置し、前記長槽空間内には、長槽空間内において移動可能な、キャリアマフを設置し、
前記スタンドフレームの頂点部には、ピボットコネクターを設置し、底端は、前記左台体、或いは前記右台体上のキャリアマフ内に挿入して設置し、
前記横フレームの一端は、前記スタンドフレームのピボットコネクター上に可動状態で接続し、フレーム体上には槽レールを開設し、
前記本体内には、光学レンズを設置し、マイク、ライトを設置することもでき、前記本体の背面には、調整ダイヤルを設置し、これにより前記横フレームの槽レールに可動状態で接続することを特徴とする写真撮影、録音、録画、走査、投射機能を備える文書処理装置。
【請求項２】
前記スタンドフレームは、フレーム体の中央部に、調整カバー体を設置し、これによりその高さを調整することを特徴とする請求項１に記載の写真撮影、録音、録画、走査、投射機能を備える文書処理装置。
【請求項３】
前記横フレームが、前記スタンドフレームのピボットコネクター上に可動状態で接続する角度と位置は、調整可能であることを特徴とする請求項１に記載の写真撮影、録音、録画、走査、投射機能を備える文書処理装置。
【考案の詳細な説明】
【技術分野】
【０００１】
本考案は写真撮影、録音、録画、走査、投射機能を備える文書処理装置に関し、特にコンピューターを対応させて、文書データ或いは音声、映像の保存と取り出しが可能で、多様な機能を備え、しかも非常に実用的である写真撮影、録音、録画、走査、投射機能を備える文書処理装置に関する。
【背景技術】
【０００２】
文書データの複製には、通常は、コピー機、或いはスキャナーを用いて処理する。これら機器は、例えば、コピー機なら、文書データを非常にスピーディーに、必要な部数だけ直接複写することができるなど、それぞれ異なる処理性能を備える。コピー機は、文書の複写については、非常に効率が高いが、その欠点は、機器の体積、重量共に比較的大きく、携帯できない点である。一方、スキャナーは、コンピューターを合わせて用いなければ、文書データの複製を行なうことはできない。しかも、前記の機器は、それ自体が他の機能を備えないため、使用において、特殊性或いは競争力があるとは言いがたい。本考案は、従来の文書処理装置の上記した欠点に鑑みてなされたものである。
【考案の概要】
【考案が解決しようとする課題】
【０００３】
本考案が解決しようとする課題は、写真撮影、録音、録画、走査、投射機能を備える文書処理装置を提供することである。
【課題を解決するための手段】
【０００４】
上記課題を解決するため、本考案は下記の写真撮影、録音、録画、走査、投射機能を備える文書処理装置を提供する。
写真撮影、録音、録画、走査、投射機能を備える文書処理装置は、写真撮影、録音、録画、走査、投射機能を備える文書処理装置は、ベース、スタンドフレーム、横フレーム、本体を備え、
該本体内には、光学レンズを設置し、マイク、ライトを設置することもでき、
これにより文書データを該ベース上に置き、該本体の光学レンズを利用して撮影し、文書データを編集可能なファイルに転換でき、
また該本体は、特定の動作過程を録音、録画することができ、
さらに該本体はメモリカードを挿入して設置し、或いはコンピューターを外付けして、映像、画像の投射を行なうことができる。
【考案の効果】
【０００５】
本考案は、多様な機能を備え、しかも体積が小さく分解が簡単で、ベース内に収容することができるため、携帯に便利で、非常に実用的である。
【図面の簡単な説明】
【０００６】
【図１】本考案の外観立体図である。
【図２】本考案において、文書撮影作業時の実施例概略図である。
【図３】本考案において、調整作業時の実施例概略図である。
【図４】本考案において、調整作業時の実施例概略図である。
【図５】本考案において、投射作業時の実施例概略図である。
【図６】本考案を分解して収容する実施例概略図である。
【図７】本考案を分解して収容する実施例概略図である。
【考案を実施するための形態】
【０００７】
以下に図面を参照しながら本考案を実施するための最良の形態について詳細に説明する。
【実施例】
【０００８】
図１に示すように、本考案写真撮影、録音、録画、走査、投射機能を備える文書処理装置は、ベース１０、スタンドフレーム２０、横フレーム３０、本体４０を備える。ベース１０は、左台体１１と右台体１２の片側が接続し、折畳み可能な形態を呈する。左台体１１、右台体１２の、相互に接触する端の反対端には、それぞれ長槽空間１１１、１２１を設置する。長槽空間１１１、１２１内には、長槽空間１１１、１２１内において移動可能な、キャリアマフ１１２、１２２を設置する。
【０００９】
調整カバー体２２を設置するスタンドフレーム２０の頂点部には、ピボットコネクター２１を設置し、底端は、左台体１１、或いは右台体１２上のキャリアマフ１１２、１２２内に挿入して設置する。横フレーム３０の一端は、スタンドフレーム２０のピボットコネクター２１上に可動状態で接続し、フレーム体上には槽レール３０１を開設する。本体４０内には、光学レンズ４１を設置し、マイク４２、ライトを設置することもできる。本体４０の背面には、調整ダイヤル４３を設置し、これにより横フレーム３０の槽レール３０１に可動状態で接続することができる。
【００１０】
図１、２に示すように、本考案のベース１０の左台体１１、右台体１２を、開いて最大面積とし、スタンドフレーム２０を、右台体１２のキャリアマフ１２２内に挿入して設置する。さらに、調整カバー体２２を利用し、長さを最長の形態に調整し、しかも、キャリアマフ１２２は、長槽空間１２１内において最適な位置まで自由に移動させられる。これにより、文書データ(Ａ４の紙など)をベース１０上に置き、本体４０の光学レンズ４１を利用して撮影し、得られた画像を識別ソフトにより、Word、Excel、PDFなどの編集可能なファイルデータに転換する。こうして便利に使用可能とし、本体４０にはコンピューターを外付けすることができるため、これにより、迅速かつ直接的な保存の目的を達成することができる。
【００１１】
図１、３に示すように、本考案のベース１０の左台体１１、右台体１２は折畳み、面積を小さくすることができ、この際には、調整カバー体２２を利用し、スタンドフレーム２０を収縮させ、短い形態にする。これにより、本体４０は、調整ダイヤル４３を利用し、横フレーム３０の槽レール３０１上で最適の位置まで移動させ、撮影機能を提供することができる。
【００１２】
図１、４に示すように、本考案の横フレーム３０は、スタンドフレーム２０上のピボットコネクター２１により、水平に180度回転し、ある特定の動作過程を録画し、マイク４２によりナレーションを録音するなどの、撮影作業を行なうことができる。
【００１３】
本考案の投射作業時の実施例概略図である図５に示すように、本考案の横フレーム３０は、スタンドフレーム２０のピボットコネクター２１上において回転することができる。これにより、本体４０の光学レンズ４１は、画像を表示しようとする区域(スクリーン、或いはホワイトボードなど)に向かうことができる。さらに、本体４０上のスロット或いは端子コンセントにより、メモリカードを挿入して設置し、或いはコンピューターを外付けして、映像、画像の投射を行なうことができる。しかも、光学レンズ４１により、写真撮影或いは録画機能を提供することができるため、講演者がホワイトボード上に書き出す内容を直接記録することができ、従来の技術に比較し、著しい進歩を備える。
【００１４】
本考案を分解して収容する実施例概略図である図６、７に示すように、本考案のスタンドフレーム２０と横フレーム３０は、簡単に分解することができる。ベース１０の左台体１１、右台体１２は槽空間形態で、軟質層を備え、折畳んで手提げバッグ状を形成することができ、これに、スタンドフレーム２０と横フレーム３０を収容することができる。
【産業上の利用可能性】
【００１５】
上記の多機能設計により、自動ホワイトボード複写、複写機、スキャナーに取って代わることができ、しかも体積が小さく、分解が簡単で、ベース内に収容することができるため、携帯に便利である。すなわち、本考案は実用新案の要件である新規性を備え、従来の同類製品に比べ十分な進歩を有し、実用性が高く、社会のニーズに合致しており、産業上の利用価値は非常に大きい。
【符号の説明】
【００１６】
１０  ベース
１１  左台体
１１１  長槽空間
１１２  キャリアマフ
１２  右台体
１２１  長槽空間
１２２  キャリアマフ
２０  スタンドフレーム
２１  ピボットコネクター
２２  調整カバー体
３０  横フレーム
３０１  槽レール
４０  本体
４１  光学レンズ
４２  マイク
４３  調整ダイヤル
【図１】
0003152440.tif 000003
【図２】
0003152440.tif 000004
【図３】
0003152440.tif 000005
【図４】
0003152440.tif 000006
【図５】
0003152440.tif 000007
【図６】
0003152440.tif 000008
【図７】
0003152440.tif 000009